(57)【要約】      （修正有）【課題】ターンバックルを使用しなくても、タイロッドの長さの十分な調整しろを得ることができ、しかも、少ない手間で調整と設置の作業ができるタイロッド用連結具を提供する。【解決手段】タイロッド用連結具１は、タイロッドが取り付けられる壁材又は梁材に設けられたガセットプレート２０に連結される連結部２と、タイロッド１０の端部に設けられた雄ネジ１１が螺合する雌ネジ孔６を備えたネジ孔端部５と、雌ネジ孔６に連通する受入空間９を備える。受入空間９が、雌ネジ孔６に雄ネジ１１が螺合した状態で雌ネジ孔６から突出したタイロッド１０の先端部を受け入れて、タイロッド１０の長さを調整するための調整しろを形成する。【選択図】図１
0003165699.tif 000002
【実用新案登録請求の範囲】
【請求項１】
タイロッドの端部を、このタイロッドが取り付けられる部材に連結するためのタイロッド用連結具であって、
上記部材に連結される連結部と、
上記タイロッドの端部に設けられた雄ネジが螺合する無底の雌ネジ孔と、
上記雌ネジ孔に連通して設けられ、上記雌ネジ孔に雄ネジが螺合した状態で雌ネジ孔から突出したタイロッドの先端部を受け入れる受入空間と
を備えることを特徴とするタイロッド用連結具。
【請求項２】
請求項１に記載のタイロッド用連結具において、
上記受入空間は、上記雌ネジ孔の延在方向と直角に延在する貫通孔によって形成されていることを特徴とするタイロッド用連結具。
【請求項３】
請求項１に記載のタイロッド用連結具において、
上記受入空間は、上記雌ネジ孔の延在方向と直角に延在する有底孔によって形成されていることを特徴とするタイロッド用連結具。
【考案の詳細な説明】
【技術分野】
【０００１】
この考案は、複数の部材の間に取り付けられるタイロッドの端部を、上記部材に連結するために用いられるタイロッド用連結具に関する。
【背景技術】
【０００２】
従来より、例えば建築物等において、２つの部材の間に取り付けられて引張材として機能するタイロッドが多く利用されている。タイロッドを部材としての壁材や梁材に連結する構造としては、壁材や梁材に取付プレートを固定し、この取付プレートに、雌ネジ孔を備えたフォークエンドタイプの連結具を接続した上で、この連結具の雌ネジ孔に、タイロッドの端部に形成した雄ネジを螺合させるものが知られている。
【０００３】
このような連結構造に用いられるタイロッド用連結具として、従来、図５に示すようなものがある。このタイロッド用連結具３０は、図示しない壁材や梁材に固定されたガセットプレート２０にピン２５で連結される連結部３２と、タイロッド１０の雄ネジ１１を受ける有底の雌ネジ孔３６が設けられたネジ孔端部３５を有する。このタイロッド用連結具３０でタイロッド１０を取り付ける場合、他方の壁材や梁材にタイロッド１０の他端部を連結した後、タイロッド１０の雄ネジ１１を、タイロッド用連結具３０の雌ネジ孔３６に螺合させる。これによりタイロッド１０に張力を導入して、ガセットプレート２０が固定された壁材や梁材と、他方の壁材や梁材とを、タイロッド１０で繋げている。
【０００４】
しかしながら、上記従来のタイロッド用連結具３０は、有底の雌ネジ孔３６にタイロッド１０の雄ネジ１１が螺合するので、タイロッド１０の長さを調整するための調整しろを確保しにくい。このため、壁材又は梁材や、ガセットプレート２０に関して蓄積された誤差により、雄ネジ１１とネジ孔端部３５との螺合長さが不足して連結強度が不足したり、タイロッド１０の長さに余りが生じて張力を伝達できない場合がある。
【０００５】
このような不都合を防止するため、従来、タイロッドの途中に設けたターンバックルにより、タイロッドの長さや張力を調整可能とすることが知られている（例えば、特許文献１参照）。このタイロッドのターンバックルは、一端側と他端側とで互いに逆方向にネジ切られた雌ネジを有し、これら逆方向の雌ネジに、タイロッドを中間で分離してなる２つの端部に設けた雄ネジを螺合している。このターンバックル本体を回転することで、ターンバックルの両端に螺合する２つのタイロッドの端部を軸方向に接離させ、タイロッドの長さを調整すると共に、タイロッドの張力を調整している。
【先行技術文献】
【特許文献】
【０００６】
【特許文献１】特開２００６−２２６３５６号公報
【考案の概要】
【考案が解決しようとする課題】
【０００７】
しかしながら、特許文献１に記載のタイロッドは、タイロッドの中間を分離してなる２つの端部と、これらのタイロッドの端部を接続するターンバックルとで構成されるので、部品点数が多いという問題がある。また、タイロッドの両端を連結具で壁材や梁材等に連結した後、タイロッドの中間に設けたターンバックルを操作して張力を調整する必要があるので、タイロッドの取り付け作業に手間がかかる問題がある。
【０００８】
そこで、本考案の課題は、ターンバックルを使用しなくても、タイロッドの長さの十分な調整しろを得ることができ、しかも、少ない手間で調整と取り付けができるタイロッド用連結具を提供することにある。
【課題を解決するための手段】
【０００９】
上記課題を解決するため、本考案のタイロッド用連結具は、タイロッドの端部を、このタイロッドが取り付けられる部材に連結するためのタイロッド用連結具であって、
上記部材に連結される連結部と、
上記タイロッドの端部に設けられた雄ネジが螺合する無底の雌ネジ孔と、
上記雌ネジ孔に連通して設けられ、上記雌ネジ孔に雄ネジが螺合した状態で雌ネジ孔から突出したタイロッドの先端部を受け入れる受入空間と
を備えることを特徴としている。
【００１０】
上記構成によれば、タイロッドの端部の雄ネジを無底の雌ネジ孔に螺合させた状態で、この雌ネジ孔から突出したタイロッドの先端部を受入空間に受け入れるので、タイロッドの雄ネジと雌ネジ孔との螺合長さを確保しながらタイロッドの端部の雌ネジ孔への没入長さを調整できる。したがって、このタイロッド用連結具は、螺合によるタイロッドとの連結強度を保持した状態で、タイロッドの長さを調整するための調整しろを十分に得ることができる。
【００１１】
このように、本考案のタイロッド用連結具によれば、タイロッドの長さの調整しろが十分に得られるので、タイロッドが取り付けられる部材や取付プレートに関する誤差の許容範囲を従来よりも大きくでき、したがって、設計精度や施工精度の許容水準を緩和できる。その結果、部材や取り付けプレートの製造にかかる手間及び費用の削減と、タイロッドの設置作業にかかる手間及び費用の削減ができる。また、タイロッドの長さの調整を目的としてターンバックルを用いなくてもよいので、部品点数を削減でき、また、タイロッドの取り付け作業における手間を少なくできる。
【００１２】
ここで、本考案において、タイロッドとは、構造物を構成する少なくとも２つの部材の間に取り付けられ、棒状又は線状をなして引張荷重を受ける引張材が広く該当し、その材料は、普通鋼棒、高張力鋼棒若しくはステンレス鋼棒、又は、炭素鋼ワイヤ若しくはステンレス鋼ワイヤ等、種々のものを用いることができる。また、タイロッドに応じて、タイロッド用連結具の材料は、普通鋼や高張力鋼やステンレス鋼等、種々のものを用いることができる。
【００１３】
一実施形態のタイロッド用連結具は、上記受入空間は、上記雌ネジ孔の延在方向と直角に延在する貫通孔によって形成されている。
【００１４】
上記実施形態によれば、タイロッドが取り付けられる際に、作業者が、雌ネジ孔から突出して受入空間に現れるタイロッドの先端部を、受入空間を形成する貫通孔を通して目視することができる。したがって、効率的かつ正確に取り付け作業を行うことができる。また、タイロッド用連結具の製造に際し、受入空間を比較的容易に形成できる。
【００１５】
一実施形態のタイロッド用連結具は、上記受入空間は、上記雌ネジ孔の延在方向と直角に延在する有底孔によって形成されている。
【００１６】
上記実施形態によれば、タイロッドが取り付けられる際に、作業者が、雌ネジ孔から突出して受入空間に現れるタイロッドの先端部を、受入空間を形成する有底孔を通して目視することができる。したがって、効率的かつ正確に取り付け作業を行うことができる。
【図面の簡単な説明】
【００１７】
【図１】本考案の実施形態に係るタイロッド用連結具の斜視図である。
【図２】タイロッド用連結具の平面図である。
【図３】タイロッド用連結具の側面図である。
【図４】タイロッドに接続され、かつ、ガセットプレートに連結された状態のタイロッド用連結具の平面図である。
【図５】タイロッドに接続され、かつ、ガセットプレートに連結された状態の従来のタイロッド用連結具の平面図である。
【考案を実施するための形態】
【００１８】
以下、本考案の実施形態に係るタイロッド用連結具について、添付図を参照しながら詳細に説明する。
【００１９】
図１は、本考案の実施形態に係るタイロッド用連結具１を示す斜視図である。この図１では、タイロッド用連結具１に加えて、タイロッド用連結具１に接続されるタイロッド１０と、タイロッド用連結具１が連結されるガセットプレート２０と、タイロッド用連結具１をガセットプレート２０に対して回動可能に連結させるピン２５等を分離して示している。タイロッド１０は、部材としての一方の壁材や梁材と、他方の壁材や梁材との間に取り付けられて、張力材として機能する炭素鋼棒である。タイロッド用連結具１は、炭素鋼で形成されたフォークエンドタイプの連結具である。このタイロッド用連結具１は、壁材や梁材に設けられたガセットプレート２０に対して連結される連結部２と、タイロッド１０の端部に設けられた雄ネジ１１が螺合する雌ネジ孔６を備えたネジ孔端部５とを有している。
【００２０】
連結部２は、ガセットプレート２０を受け入れる隙間を形成して互いに平行に延びる一対の舌片部３で構成される。各舌片部３には、ピン２５の径に対応する径を有するピン挿通孔４が形成されている。また、ガセットプレート２０は、タイロッド用連結具１に向かって幅が狭くなる鋼板部材で構成され、ピン２５の径に対応する径を備えたピン挿通孔２１が形成されている。
【００２１】
図１中の仮想線（２点鎖線）で示されるように、ガセットプレート２０が、連結部２の舌片部３間の隙間に差し込まれ、ピン挿通孔４及び２１が位置合わせされた状態で、これらピン挿通孔４及び２１にピン２５が挿通される。ピン２５の端面にピンプレート取付けボルト２７で取り付けられたピンプレート２６により、ピン２５が脱落不可に連結部２に保持される。こうして、タイロッド用連結具１が、ガセットプレート２０に、ピン２５を回転軸として回動自在に連結される。
【００２２】
一方、上記ネジ孔端部５は、連結部２の舌片部３の延在方向と反対方向に向かって先細に形成され、先端面の中心に雌ネジ孔６が開口している。この雌ネジ孔６は、タイロッド用連結具１の長手方向に延びる中心軸（図１中の１点鎖線）に沿って形成されている。タイロッド１０は、端部に設けられた雄ネジ１１が雌ネジ孔６に螺合されることにより、タイロッド用連結具１に接続される。
【００２３】
タイロッド１０の雄ネジ１１の基端側には、タイロッド１０の中心軸に関して対称かつ互いに平行な２つの平面で形成されたスパナ面１２が形成されている。タイロッド用連結具１にタイロッド１０を接続する際に、このスパナ面１２を挟み込んだ図示しないスパナでタイロッド１０を中心軸周りに回動させて、タイロッド１０の雄ネジ１１をタイロッド用連結具１の雌ネジ孔６に螺進させるようになっている。また、タイロッド用連結具１のネジ孔端部５には、外周面から雌ネジ孔６の内周面に連通する貫通孔７が設けられており、この貫通孔７に、雌ネジ孔６に螺合された雄ネジ１１を固定するための止めネジを螺合するようになっている。
【００２４】
図２及び３は、それぞれ、タイロッド用連結具１の平面図及び側面図である。また、図４は、タイロッド１０に接続され、かつ、壁材等の部材に固定されたガセットプレート２０に連結された状態における上記タイロッド用連結具１の平面図である。図２乃至４に示すように、本実施形態では、雌ネジ孔６の連結部２側に連通する受入空間９が形成されている。この受入空間９が、雌ネジ孔６に雄ネジ１１が螺合した状態で雌ネジ孔６から突出したタイロッド１０の先端部１１ａを受け入れて、タイロッド１０の長さを調整するための調整しろが得られるようになっている。
【００２５】
すなわち、このタイロッド用連結具１は、図２及び３に示すように、タイロッド用連結具１の長手方向において、受入空間９に対応する調整しろＤ２が、雌ネジ孔６に対応するネジしろＤ１に隣接するように設定されている。このような構成により、タイロッド１０をタイロッド用連結具１に接続する際、雌ネジ孔６と雄ネジ１１がネジしろＤ１の長さにわたって螺合した状態で、タイロッド１０の先端部１１ａの雌ネジ孔６からの突出量を、調整しろＤ２の範囲内で調整できる。したがって、この調整しろＤ２の範囲内で、タイロッド１０を回転させて雄ネジ１１の雌ネジ孔６に対する螺進位置を調整することにより、タイロッド用連結具１とタイロッド１０との螺合長さ、すなわち、タイロッド用連結具１とタイロッド１０との連結強度が不足することなく、タイロッド１０の長さの調整が可能となる。
【００２６】
また、このタイロッド用連結具１によれば、タイロッド１０の長さの調整しろが十分に得られるので、タイロッド１０が取り付けられる壁材や梁材やガセットプレート２０に関する誤差の許容範囲を従来よりも大きくでき、したがって、設計精度や施工精度の許容水準を緩和できる。その結果、壁材や梁材やガセットプレート２０の製造にかかる手間及び費用の削減と、タイロッド１０の設置作業にかかる手間及び費用の削減ができる。さらに、このタイロッド用連結具１によれば、２つの部材の間におけるタイロッド１０の長さを調整できるので、長さの調整を目的としてターンバックルを用いる必要がなく、したがって、タイロッド１０に関する部品点数を減らすことができる。
【００２７】
また、本実施形態では、長さ調整用の受入空間９が、タイロッド用連結具１の雌ネジ孔６の延在方向と直角の方向であって、ピン挿通孔４の中心軸と直角の方向に延在するように、タイロッド用連結具１の本体を貫通して形成されている。このような構造によれば、タイロッド用連結具１にタイロッド１０を取り付ける際、作業者が、雌ネジ孔６から受入空間９内に突出するタイロッド１０の先端部１１ａを目視することができ、効率的かつ正確に作業を行うことができる。また、タイロッド用連結具１の製造に際し、貫通切削により受入空間９を作製できるので、製造工程を比較的簡易にできる。
【００２８】
なお、本実施形態では、長さ調整用の受入空間９が、タイロッド用連結具１の本体を、ピン挿通孔４の中心軸と直角の方向に貫通するように形成されたが、これに限定されることなく、例えば、タイロッド用連結具１の本体を幅方向（図２の紙面の上下方向）、すなわち、ピン挿通孔４の中心軸と平行に貫通するように形成されてもよい。また、本実施形態では、長さ調整用の受入空間９が、連結部２側で舌片部３間の隙間に連通するように形成されているが、受入空間９は、連結部２側で舌片部３間の隙間と隔離されるように、すなわち、舌片部３間の隙間と連通しないように形成されてもよい。
【００２９】
また、本実施形態では、受入空間９を貫通孔によって形成したが、雌ネジ孔６に連通する位置にタイロッド１０の先端部１１ａを受け入れ可能な空間が確保されれば、貫通孔の開口部は蓋部材等で塞がれてもよい。あるいは、貫通孔以外に、タイロッド用連結具１の本体に、ピン挿通孔４の中心軸と直角の方向に延在する有底孔や、ピン挿通孔４の中心軸と平行に延在する有底孔を形成して受入空間を構成してもよい。
【００３０】
また、本実施形態では、タイロッド用連結具１の連結部２は、タイロッド１０が取り付けられる部材である壁材又は梁材に固定されたガセットプレート２０に、ピン２５によって回動自在に連結されたが、壁材や梁材等の部材に回動不可に連結されてもよく、あるいは、関節構造によって３次元的に回動可能に連結されてもよい。すなわち、タイロッド用連結具の連結部と、タイロッドが取り付けられる部材との間の連結の形態は、特に限定されない。
【００３１】
また、本実施形態では、タイロッド用連結具１とガセットプレート２０とを連結するピン２５を、このピン２５の両端にピンプレート取付けボルト２７で取り付けたピンプレート２６によって脱落不可に連結部２に保持したが、一端にボルトヘッドを一体に形成したピンをピン挿通孔４及び２１に挿通し、このピンの他端にナットを螺合することにより、ピンを連結部２に脱落不可に保持してもよい。また、ピンの両端に周方向溝を設け、このピンをピン挿通孔４及び２１に挿通した状態で、上記ピンの両端の周方向溝にＣ型止め輪を夫々嵌合して、ピンを脱落不可に保持してもよい。
【００３２】
また、本実施形態では、タイロッド用連結具１の雌ネジ孔６に螺合したタイロッド１０を、貫通孔７に螺合した止めネジで固定したが、タイロッド１０の雄ネジ１１の基端側に固定用ナットを螺合した状態で、この雄ネジ１１を雌ネジ孔６に螺合し、上記固定用ナットをタイロッド用連結具１に押圧させてタイロッド１０を回転不可に固定してもよい。
【００３３】
また、本実施形態では、タイロッド１０の一方の端部を壁材や梁材に連結するタイロッド用連結具１について説明したが、タイロッド１０の他方の端部は、本考案のタイロッド用連結具によって他方の壁材や梁材に連結してもよく、或いは、定着ナット等で他方の壁材や梁材に連結してもよい。すなわち、本考案のタイロッド用連結具を、タイロッドの少なくとも一つの端部に接続すれば、タイロッドの長さを調整するための調整しろを得ることができる。
【００３４】
また、本考案のタイロッド用連結具に接続されるタイロッドは、分割された複数の部材で構成してもよく、これら複数の部材を互いに接続するために、従来のターンバックルや他の連結具を用いてもよい。あるいは、従来のターンバックル又は他の連結具を、タイロッド用連結具１によるタイロッドの長さ調整機能を補うために、タイロッドの長さを調整可能に併用してもよい。
【００３５】
また、本考案のタイロッド用連結具は炭素鋼で形成されたが、ステンレス鋼等の他の材料で形成されてもよい。また、本考案のタイロッド用連結具に接続されるタイロッドは炭素鋼棒で形成されたが、高張力鋼棒やステンレス鋼棒で形成されてもよく、あるいは、ワイヤ等の線材であってもよい。なお、タイロッドは、用途や設置位置に応じて、テンションロッドやブレースと称呼されるものも包含される。
【００３６】
また、本考案のタイロッド用連結具に接続されるタイロッドは、壁材や梁材に限らず、例えば柱材等の他の部材に取り付けられてもよく、また、タイロッドが取り付けられる部材は、建築構造物及び土木構造物のいずれの部材であってもよい。
【符号の説明】
【００３７】
１  タイロッド用連結具
２  連結部
３  舌片部
４  ピン挿通孔
５  ネジ孔端部
６  雌ネジ孔
９  受入空間
１０  タイロッド
１１  雄ネジ
２０  ガセットプレート
２１  ピン挿通孔
２５  ピン
【図１】
0003165699.tif 000003
【図２】
0003165699.tif 000004
【図３】
0003165699.tif 000005
【図４】
0003165699.tif 000006
【図５】
0003165699.tif 000007